Podtech/llm-jp-corpus-v4-ja_patent huggingface dataset:
(57)【要約】【課題】従来には無い燻製風味のラーメンを提供する。【解決手段】燻煙を、水蒸気の充満した容器の中で循環させ、この燻煙の付着した液体を濾過して生成された燻液を原料とした燻煙成分添加物を合成調味料とともにスープ１のベース材に加えて形成したスープ１と、麺２と、任意の具材３とを容器４に入れることにより、醤油ラーメンや塩ラーメン等において、従来には無い変わった味の、すなわち、燻製風味のラーメンを提供することができる。【選択図】図１
0003150847.tif 000002
【実用新案登録請求の範囲】
【請求項１】
燻煙成分添加物を合成調味料とともにスープのベース材に加えて形成したスープと、麺と、任意の具材とを容器に入れて提供可能としたことを特徴とするラーメン。
【請求項２】
前記具材がチャーシュー、鳴門、又はゆで卵であることを特徴とする請求項１記載のラーメン。
【請求項３】
前記容器が丼であることを特徴とする請求項１又は２に記載のラーメン。
【考案の詳細な説明】
【技術分野】
【０００１】
本考案は、食品の麺の一種であるラーメンに関する。
【背景技術】
【０００２】
従来、一般的なラーメンは、麺と、スープと、チャーシュー等の各種の具材を丼等の容器に入れて提供されている（例えば、特許文献１）。
【先行技術文献】
【特許文献】
【０００３】
【特許文献１】特開２００６−１３６３０４号公報
【考案の開示】
【考案が解決しようとする課題】
【０００４】
従来のラーメンの代表的なスープの味として、醤油味、塩味、味噌味、豚骨味などがあったが、従来には無い変わった風味のラーメンを食したいという要望がある。
【０００５】
そこで本考案は、上記の要望に応えること、すなわち、従来には無い燻製風味のラーメンの提供を課題とする。
【課題を解決するための手段】
【０００６】
請求項１の考案は、燻煙成分添加物を合成調味料とともにスープのベース材に加えて形成したスープと、麺と、任意の具材とを容器に入れて提供可能としたことを特徴とする。
【０００７】
請求項２の考案は、前記具材がチャーシュー、鳴門、又はゆで卵であることを特徴とする。
【０００８】
請求項３の考案は、前記容器が丼であることを特徴とする。
【考案の効果】
【０００９】
請求項１の考案によれば、醤油ラーメンや塩ラーメン等において、燻製風味のラーメンを提供することが可能となる。
【００１０】
請求項２の考案によれば、具材にも燻製の風味が染み込み、ラーメンの風味をさらに豊かなものとすることが可能となる。
【００１１】
請求項３の考案によれば、容器を丼とすることで食し易いラーメンを提供することが可能となる。
【図面の簡単な説明】
【００１２】
【図１】本考案のラーメンを容器に入れた状態を示す断面図である。
【考案を実施するための形態】
【００１３】
以下、図を用いて本考案の実施の形態について説明する。まず、図中、符号１がスープであって、このスープ１は、スープのベース材に、複数の調味料によって構成される合成調味料と、燻煙成分添加物を加えることによって形成している。
【００１４】
スープ１のベース材は、畜肉エキス（例えば、豚骨、豚肉、牛骨、牛肉、鶏肉、鶏がら等のうち任意の材料）、魚介エキス（例えば、鰹節、煮干等のうち任意の材料）、野菜エキス（例えば、にんにく、たまねぎ、キャベツ、ねぎ、にんじん、しょうが等のうち任意の材料）、動植物油（油脂）、及び麦粉等の任意の材料によって構成される。
【００１５】
合成調味料は、例えば、食塩、胡椒、グルタミンソーダ等の化学調味料、その他の任意の調味料を適宜な割合で構成される。
【００１６】
燻煙成分添加物は、ヒッコリー等の材木を原材料としたソーダスト（おが屑）を燃焼させて発生した燻煙を、水蒸気の充満した容器の中で循環させ、この燻煙の付着した液体を濾過して生成された燻液を原料とした粉末又は液体にコーンスターチ、でんぷん等が添加されたものである。前述の燻液は、燻煙を発生させる時に、燃焼温度・湿度を制御して、発がん性物質を発生しないようにコントロールされており、燻煙成分添加物に発がん性物質が含まれる危険性を防いでいる。
【００１７】
また、符号２は麺であり、種類、太さ等は任意である。
【００１８】
さらに符号３は具材であり、種類もチャーシュー、鳴門、ゆで卵等の任意に設定可能である。
【００１９】
上記構成のラーメンの製法について説明する。スープ１のベース材である畜肉エキスと魚介エキスがそれぞれ入った各鍋（例えば、圧力鍋等）に合成調味料を入れて加熱後、各鍋内のスープ１を漉し、一旦冷却した後、油脂を取り、水を加える。その後、各鍋内の畜肉エキスと魚介エキスをそれぞれ適量ずつ混合させて、スープ１の味を醤油ラーメンや塩ラーメン等の味に調整する。その際に、燻煙成分添加物をスープ１に加え、その後沸騰させてスープ１が完成する。そして、上記のスープ１と、麺２と、具材３を丼等の容器４に入れて提供する。
【００２０】
スープ１に燻煙成分添加物が加えられたことにより、燻煙成分の風味をスープ１に与え、従来には無い燻製風味のラーメンを提供することができる。
【００２１】
また、前述のスープ１の製造工程において、燻煙成分添加物をスープ１に加えた後、スープ１を沸騰させることにより、燻煙成分添加物に添加されたコーンスターチやでんぷんがスープ１のこく味やうま味を増加させるため、さらに風味豊かで燻製香るラーメンを提供することが可能となる。
【００２２】
本実施例は請求項１に対応しており、燻煙成分添加物を合成調味料とともにスープ１のベース材に加えて形成したスープ１と、麺２と、任意の具材３とを容器４に入れることにより、従来には無い変わった味の、すなわち、燻製風味のラーメンを提供することができる。
【００２３】
また、本実施例は請求項２に対応しており、前記具材がチャーシュー、鳴門、又はゆで卵であることにより、具材にも燻製の風味が染み込み、ラーメンの風味をさらに豊かなものとすることが可能となる。
【００２４】
さらに、本実施例は請求項３に対応しており、前記容器が丼であることにより、容器を丼とすることで食し易いラーメンを提供することが可能となる。
【符号の説明】
【００２５】
１  スープ
２  麺
３  具材
４  容器
【図１】
0003150847.tif 000003
(57)【要約】      （修正有）【課題】車両のエンジンルームの下部に取付けられ、エンジン等を車体下部又前部からの衝撃から保護する目的の金属製アンダーガードに、エンジンルームから漏れるオイル等を受ける機能を追加する構造を提供する。【解決手段】エンジンルームの下部に取付ける金属製アンダーガードの四方を立ち上げトレー状にする。外部からの衝撃からも保護しながら、エンジンルームから漏れる少量のオイル等を金属製アンダーガードが受け皿となり、車両を保管する駐車場の床等を汚すことを減少させる。【選択図】図１
0003150815.tif 000002
【実用新案登録請求の範囲】
【請求項１】
車両のエンジンルームの下部に取付けられ、エンジンのオイルパンやミッションケース等を車体下部又前部からの衝撃から保護する目的の金属製アンダーガードに、エンジンルームから漏れるオイル等を受ける機能を追加する為に、金属製アンダーガードの四方を立ち上げトレー状にさせたことを特徴とするアンダーガードの構造。
【考案の詳細な説明】
【技術分野】
【０００１】本考案は、車両のエンジンルーム下部に取付けられる金属製アンダーガードの構造に関するものである。
【背景技術】
【０００２】従来の金属製アンダーガードは、エンジンのオイルパンやミッションケース等を、車体下部又前部からの衝撃から保護する目的のみのガードである。（例えば実開昭５８−７９４７８号公報、実開平１−６７１８３号公報等参照）
【考案の開示】
【考案が解決しようとする課題】
【０００３】従来の金属製アンダーガードは、本来上記のように、エンジンのオイルパンやミッションケース等を車体下部又前部からの衝撃から保護する目的のみのガードである。エンジンルームから少量のオイル等が漏れる場合、車両を保管する駐車場等の床を汚してしまう。樹脂製のアンダートレーにはオイル等を受けることが出来る物もあるが、外部からの衝撃からはエンジン等を保護出来ない。金属製アンダーガードを利用して外部からの衝撃からも保護しながら、エンジンルームから漏れる少量のオイル等が車両を保管する駐車場等の床を汚すことも防止出来る様にする。
【課題を解決するための手段】
【０００４】金属製アンダーガードの四方を立ち上げることによりトレー状にし、受け皿としての機能を追加する。（図１）
【考案の効果】
【０００５】本考案の金属製アンダーガードを使用することにより、外部からの衝撃からも保護しながら、エンジンルームから漏れる少量のオイル等を金属製アンダーガードが受け皿となり、車両を保管する駐車場の床等を汚すことを減少させる。
【図面の簡単な説明】
【０００６】
【図１】本考案の実施例を示すものである。
【符号の説明】
【０００７】  １．  アンダーガード  車両前側
２．  アンダーガード  車両側面
３．  アンダーガード  車両後側
４．  アンダーガード  車両取付け部
【図１】
0003150815.tif 000003
(57)【要約】      （修正有）【課題】発汗や雨天作業、お使いといった、多忙で幅広い作業を要求される職業を持つ方、主婦に対し、複数の持物を考える面倒を解消し、忘れものによる失敗や不安を解消し、さらに、作業姿をスマートに見せるワークスカーフ兼エコバッグを提供する。【解決手段】リバーシブルの吸汗生地のスカーフを二つ折りに畳み三角形１を設け、底辺の両端部分に縦の縫い目２を設け、裏返すと五角形の袋状となることを特徴とする。【選択図】図１
0003150818.tif 000002
【実用新案登録請求の範囲】
【請求項１】
リバーシブルの吸汗生地のスカーフを二つ折りに畳み三角形（１）を設け、底辺の両端部分に縦の縫い目（２）を設け、裏返すと五角形の袋状（３）となる、ワークスカーフ兼エコバッグ。
【考案の詳細な説明】
【技術分野】
【０００１】  この発明は、リバーシブルの吸汗生地のスカーフを三角形に畳み、底辺の両端を縫い止め、裏返すと袋状になる、ワークスカーフ兼エコバッグに関するものである。
【背景技術】
【０００２】  従来、ワークスカーフとエコバッグが一体となったものは無かった。類似品として、風呂敷風バッグはあるが、結んで使用する、畳んで小さく収納できる点では共通点があるが、用途がバッグに限定されていた。また、職業のためのエコバッグは無かった。
【先行技術文献】
【特許文献】
【０００３】
【特許文献１】特開２００９−０００４９１  ＪＰ  Ａ
【特許文献２】特開２００８−２０１４６９  ＪＰ  Ａ
【非特許文献】
【０００４】
【非特許文献１】実開平０７−０２３４２４  ＪＰ  Ｕ
【非特許文献２】
【考案の概要】
【考案が解決しようとする課題】
【０００５】  これは、次のような欠点があった。
従来、ワークスカーフは、三角形の薄い布地を頭に巻いたり、四角い物をおしゃれに首に巻いて使用していたが、吸汗性には乏しく、汗が大量に出る職業についてはタオルを巻いて対応していた。一方、エコバッグについては、収納式、折りたたみ式が多く見られるが、ちょっとしたお使いでは、うっかり忘れてしまう事が多かった。小さい子供を持つ親は、大量の持ち物に悩まされる事も多い。とはいえ、個人として汗拭き、お手拭き、エコバッグを忘れる事は、さほど問題では無いが、仕事でこれがあると、さらに他人に迷惑を掛けたり、金銭に関係した面倒が発生する。例えば、ホームヘルパーの仕事では、介助を行う相手やその日の要望に応じて、臨機応変に仕事を変更する事が多く、入浴介助、外出等の身体介助から調理、買い物、掃除等、内容が多岐に渡り、持ち物の予測が難しい事がある。特にエコバッグについては、お客さんが高齢者という事もあり、お客さん自身が忘れる事が多い。うっかり、タオルを借りたり、買い物袋代を請求することになると、心苦しさが残る事になる。また、タオルを首や頭に巻く行為は、見栄えを悪くしていた。
本発明は、以上のような欠点をなくすためになされたものである。
【課題を解決するための手段】
【０００６】  リバーシブルの吸汗生地のスカーフを二つ折りに畳み三角形（１）を設け、底辺の両端部分に縦の縫い目（２）を設け、裏返すと五角形の袋状（３）となる。
本発明は、以上の構成によりなるワークスカーフ兼エコバッグである。
【考案の効果】
【０００７】  多機能スカーフであるため、ハンカチ、タオル、エコバッグを、うっかり忘れやすい人や忙しい人には、あれこれと迷わずに済む。身に着けられるため、常時身につける習慣があれば、なお忘れにくい。また、発汗対策や雨天対応で、タオルを巻くよりも見栄えが良い。特に、ホームヘルパーやキッチンスタッフの制服として使用すれば、清潔感、見栄え、急な買い物等への対応に対して事業者としての効果が高いばかりか、スタッフも安心感が得られる。夏の汗取りだけでなく、保温性にも優れているため、冬の防寒具としても利用できる。
【図面の簡単な説明】
【０００８】
【図１】本発明の平面図である。
【図２】本発明の平面図である。
【考案を実施するための形態】
【０００９】  以下、本発明を実施するための形態について説明する。
リバーシブルの吸汗生地のスカーフを二つ折りに畳み三角形（１）を設ける。
三角形折ったスカーフ（１）の底辺の両端部分に縦の縫い目（２）を設ける。
三角形に折ったスカーフ（１）裏返すと五角形の袋状（３）となる。
本発明は、以上のような構造である。
これを使用する時は、三角形のスカーフとして、頭に巻いてヘッドスカーフとして利用したり、首に巻いて利用する。裏返した五角形の頂点の両端を結び合わせれば、結び目を持ち手としたエコバッグとして利用できる。その他、タオルやハンカチ感覚での使用が可能。
【実施例】
【００１０】  両端の縦の縫い目（２）は、レース、布テープを使用し、ファッション性や強度を上げる事もできる。
【産業上の利用可能性】
【００１１】    仕事用としてだけでなく、一般的なスポーツ用やペットの散歩時用としての使用用途があり、帰宅時の気軽な買い物を楽しむ事ができる。主婦層のファションとしても受け入れやすい。また、高齢者世代は、スカーフを首に巻く習慣がある事が多く、肌触りも良いため、馴染みやすい上、風呂敷感覚にも懐かしさを感じる事ができる。通常の使用方法だけでなく、夏にはアイスノン、冬にはカイロを入れて折り込み、首に巻く利用方法もあり、脇が縫い合わせてあるため、中身が落ちてくる心配も少ない。さらに、臨時的な子供用よだれかけやエプロンとして、三角形を逆さにして、両端を首の後ろで結ぶ使用方法もある。
【符号の説明】
【００１２】  １スカーフを半折にした三角形
２両端の縦の縫い目
３裏返した五角形の袋
【図１】
0003150818.tif 000003
【図２】
0003150818.tif 000004
(57)【要約】【課題】  様々な障害を持った方々やその介護者に対し、入浴前後の環境を快適にし、介護を楽にするため、長方形の後ろ見頃と肩で繋がった左右２枚の前身頃を、後ろ見頃に取り付けた腰紐を使って前で結ぶ、介護用バスローブを提供する。【解決手段】  長方形の大判タオル生地等の布地を後ろ見頃（１）とし、肩部分のみを縫いつけた、左右２枚の前見頃（２）を設け、後ろ見頃（１）から前で結ぶ事のできる腰紐（３）を設けた、介護用バスローブを特徴とする。【選択図】図１
0003150819.tif 000002
【実用新案登録請求の範囲】
【請求項１】
長方形の大判タオル生地やその他吸水布地を後ろ見頃（１）とし、肩部分のみを縫合した左右２枚の前見頃（２）を設け、後ろ見頃（１）の腰部から、前で結ぶ事のできる腰紐（３）を設けた、介護用バスローブ。
【考案の詳細な説明】
【技術分野】
【０００１】  この発明は、長方形の大判タオル生地やその他吸水布地に、肩部のみを縫合した左右２枚の前見頃を設け、前で結ぶ事のできる腰紐を設けた、介護用バスローブに関するものである。
【背景技術】
【０００２】  従来、介護用のバスローブは無く、バスタオルを何枚も巻きつけて使用していた。
【先行技術文献】
【特許文献】
【０００３】
【特許文献１】特開２００８−０５０７２３  ＪＰ  Ａ
【特許文献２】特開２００６−２０７１０４  ＪＰ  Ａ
【非特許文献】
【０００４】
【非特許文献１】実開平０６−０５４７１０  ＪＰ  Ｕ
【非特許文献２】実登３０００７２４  ＪＰ  Ｕ
【考案の概要】
【考案が解決しようとする課題】
【０００５】  これは、次のような欠点があった。
従来、一般用バスローブでは手を通したりする事が難しい、車椅子利用者、寝たきり高齢者、障害者には着せ替えが難しいという理由で利用されておらず、バスタオルを何枚も巻きつけて使用していた。ところが、バスタオルではずり落ちやすく、巻きつけが大変であったり、肌蹴てしまわないように常に気が抜けない状況があった。また、見栄えも悪いため、人前に出ることが憚られた。さらに、洗濯をするにも枚数が多いため、手間がかかっていた。
本発明は、以上のような欠点をなくすためになされたものである。
【課題を解決するための手段】
【０００６】  長方形の大判タオル生地やその他吸水布地を後ろ見頃（１）とし、肩部分のみを縫いつけた、左右２枚の前見頃（２）を設け、後ろ見頃（１）から前で結ぶ事のできる腰紐（３）を設ける。
本発明は、以上の構成によりなる介護用バスローブである。
【考案の効果】
【０００７】  広げると１枚の布地になる構造であるため、車椅子やベッドに広げておいて、前見頃を被せて着せる事ができ、脱がせる場合もバスタオルのような感覚で簡単に取り除く事ができるため、着脱が楽になる。さらに、タオル感覚で拭き取ることができる。脇が開いているため、体格や障害を選ばず着用ができる。バスタオルよりもベストや浴衣の要素があり、肌蹴る心配が少なく、保温性にも優れている。見栄えも良く、脱衣所が狭い、ベッド上で着替えたいという理由で浴室まで長い廊下を通らなければならない、急な来客等の対応に着替えさせるまでの時間が無いといったケースに対して、人前でも比較的安心である。洗濯時はハンガー干しも手軽にでき、枚数も少なくて済む。
【図面の簡単な説明】
【０００８】
【図１】本発明の平面図である。
【考案を実施するための形態】
【０００９】  以下、本発明を実施するための形態について説明する。
長方形の大判タオル生地やその他の吸水布地を後ろ見頃（１）とする。
後ろ見頃（１）と肩部分のみを縫いつけた、左右２枚の前見頃（２）を設ける。
後ろ見頃（１）の腰部から、前で結ぶ事のできる腰紐（３）を設ける。
本発明は、以上のような構造である。
大きさは、座位時、下半身を包み込む大きさとする。
これを使用する時は、車椅子やベッド上に広げ、身体を後ろ見頃へ乗せた後、前身頃を倒し、後ろ見頃についた腰紐を前で結んで装着する。
【実施例】
【００１０】  腰紐（３）はベルト式とすることも可能。
【産業上の利用可能性】
【００１１】  大人用介護用品としてだけでなく、幼児、子供用バスローブとして、さらにプール使用や一般的な簡易型バスローブとしても使用可能。
【符号の説明】
【００１２】  １後ろ見頃
２前見頃
３腰紐
【図１】
0003150819.tif 000003
(57)【要約】      （修正有）【課題】半身麻痺や亀背、肩や腕の関節障害を持つ方を始め、様々な身体の不自由を抱えている方々に対し、洗身することができずに諦めていたり、介護に頼らざるを得なかった部分の洗身を、自分で洗えようにするため、洗浄タオルの一端に、持ち手になる洗浄タオル生地を巻いた紐を設け、もう一端にも長さ調整できる部分と持ち手となる輪型の部分からなる紐を設けた、リハビリ洗浄ロングタオルを提供する。【解決手段】円柱型にした洗浄タオル１の一端に、持ち手になる洗浄タオル生地を巻いた紐２を設け、もう一端にも長さ調整できる部分３と持ち手となる輪型の部分からなる紐４を設けて、リハビリ洗浄ロングタオルを構成する。【選択図】図１
0003150820.tif 000002
【実用新案登録請求の範囲】
【請求項１】
円柱型にした洗浄タオル（１）の一端に、持ち手になる洗浄タオル生地を巻いた紐（２）を設け、もう一端にも、長さ調整できる部分（３）と持ち手となる輪型の部分からなる紐（４）を設けた、リハビリ洗浄ロングタオル。
【考案の詳細な説明】
【技術分野】
【０００１】  この発明は、円柱型にした洗浄タオルの一端に、持ち手になる洗浄タオル生地を巻いた紐を設け、もう一端にも長さ調整できる部分と持ち手となる輪型の部分からなる紐を設けた、リハビリ洗浄ロングタオルに関するものである。
【背景技術】
【０００２】  従来、障害者用、高齢者用洗浄器具は、柄の先にボディブラシの付いた物や一般の背部洗浄用のロングタオルで届きにくい足元や背中を洗浄しており、身体不自由のある方専用の洗浄タオルは無かった。
【先行技術文献】
【特許文献】
【０００３】
【特許文献１】特開２００２−０８５２８２  ＪＰ  Ａ
【特許文献２】特開２００１−００９０４４  ＪＰ  Ａ
【非特許文献】
【０００４】
【非特許文献１】実登３１４３７９６  ＪＰ  Ｕ
【非特許文献２】実登３０２４９０３  ＪＰ  Ｕ
【考案の概要】
【考案が解決しようとする課題】
【０００５】  これは、次のような欠点があった。
従来、柄の先にボディブラシのついた形式の洗浄器具は、片手で持つには重みがあり、握力や腕の力が無いと上手く扱えず、持ち運ぶにも大き過ぎて旅行には向かなかった。一方、一般的な背部洗浄用ロングタオルの場合は、両手が使えないとその効果が発揮できなかった。
本発明は、以上のような欠点をなくすためになされたものである。
【課題を解決するための手段】
【０００６】  円柱型にした洗浄タオル（１）の一端に、持ち手になる洗浄タオル生地を巻いた紐（２）を設け、もう一端にも長さ調整できる部分（３）と持ち手となる輪型の部分からなる紐（４）を設けた。
本発明は、以上の構成によりなるリハビリ洗浄ロングタオルである。
【考案の効果】
【０００７】  握力や腕力はさほど要さず利用できる。一端（短側）の持ち手を麻痺のある腕に掛け、もう一方（長側）を健側で持って洗浄したり、一端（長側）を利き足に掛け、もう一方（短側）を利き手で持って洗浄したり、一端（長側）を手すりやシャワーチェアに絡め、もう一方（短側）を利き手で持って洗浄する事もできるため、半身麻痺を始めとする様々な障害に対応した使用が可能。亀背、肩や腕の関節に制限のある高齢者が、背や足元を洗浄する場合にも有用である。介護に頼らず、残存機能を活かす道具という意味で、リハビリの要素も大きい。また、折りたたんで持ち運びができるため、外出先にも気軽に持ち運びができる。
【図面の簡単な説明】
【０００８】
【図１】本発明の斜面図である。
【図２】本発明の拡大図である。
【考案を実施するための形態】
【０００９】  以下、本発明を実施するための形態について説明する。
円柱型にした洗浄タオル（１）の一端に、持ち手になる洗浄タオル生地を巻いた紐（２）を設ける。
洗浄タオルのもう一端にも、長さ調整できる部分（３）と持ち手となる輪型の部分からなる紐（４）を設ける。
長さ調整可能な方の持ち手の紐（４）は、三角形型になるよう、底面を設ける。
本発明は、以上のような構造である。
これを使用する時は、一端（短側）の持ち手を麻痺のある腕に掛け、もう一方（長側）を健側で持ち、引いて洗浄する。または、シャワーチェアに座り、一端（長側）を利き足の先に掛け、もう一方（短側）を利き手で持ち、引き上げて洗浄する。一端（長側）を手すりやシャワーチェアに絡め、もう一方（短側）を利き手で持ち、上下に動かして洗浄する。また、両手を使って、背部や足元の洗浄用としても使用できる。
【実施例】
【００１０】  タオル生地を巻いた手持ち（短側）については、洗浄タオル部分と一体型にすることもできる。
【産業上の利用可能性】
【００１１】  介護用品としてだけでなく、一般的な背部洗浄用具としても使用可能。また、リハビリ用具として、リハビリ体操、筋力トレーニング、関節可動域訓練に取り入れて使用する事もできる。
【符号の説明】
【００１２】  １洗浄タオル
２洗浄タオル生地を巻いた持ち手
３長さ調整部分の紐
４持ち手となる紐
【図１】
0003150820.tif 000003
【図２】
0003150820.tif 000004
(57)【要約】      （修正有）【課題】男子が便座に座って用を足す時小便が横に飛び便器と便座の隙間から外部へ落ちる事を防ぐ便器を提供する。【解決手段】便器と便座の隙間に障壁を付けることで小便がこぼれるのを防止する事が出来る。具体的には、便器上面より下にさがっている障壁を取り付ける。既製の洋式便器の便座２の裏側に便器の曲面に沿って湾曲の板状の障壁３を接着剤で取り付けた。男子が便座に座って用を足すと障壁３によって小便を便器の外に出すことなく便器内に落とす事ができ汚れを防止する。【選択図】図３
0003150463.tif 000002
【実用新案登録請求の範囲】
【請求項１】
便器上面と便座下面との間の隙間を塞ぐよう、便器内部に伸びる遮壁を便座前方側に取り付けた事を特徴とする洋式便器。
【請求項２】
前記遮壁が便座下面に接着テープもしくは接着剤で取り付けられている事を特徴とする請求項１に記載の洋式便器。
【考案の詳細な説明】
【技術分野】
【０００１】
この考案は便器及び床の清潔性を保持する為に、男子小用時に外に出ないよう便器内側に落とす遮壁である。
【背景技術】
【０００２】
洋式便器には便座を安定させる為に突起を付けてある為に隙間があり男子が便座に座って用を足す場合に外に漏らす事がある。
【先行技術文献】
【特許文献】
【０００３】
【特許文献１】実用新案登録第３０７５７２７号
【考案の概要】
【考案が解決しようとする課題】
【０００４】
イ、便座や便器及び床等について悪臭の原因になる。
ロ、使用後に掃除をしないと衛生上良くない。
ハ、次に用を足す人に不快感を与える。
本考案は以上の欠点を解決する為に取り付けたものである。
【課題を解決するための手段】
【０００５】
本考案は便座の裏側に便器の曲面に沿って湾曲の板状の物を付け小便を便器内に落とし汚れを防止する遮壁である。
【考案の効果】
【０００６】
本考案を使用する事により男子が用を足す時に起こる便器の外部及び床の掃除をする必要が無くなる。
【図面の簡単な説明】
【０００７】
【図１】本考案にかかる遮壁を備えた便器の側面と一部断面図である。
【図２】便座の内側の平面図である。
【図３】本考案の取付斜視図である。
【図４】本考案にかかる遮壁の斜視図である。
【図５】本考案にかかる遮壁の使用状態を示す側面と一部断面図である。
【考案を実施するための形態】
【実施例】
【０００８】
以下、添付図面に従って一実施例を説明する。既製の洋式便器１の便座２の裏側に便器の曲面に沿って湾曲の板状の遮壁３を接着剤で取り付けた。男子が便座に座って用を足したところ遮壁３によって小便が便器の外に出ることなく便器内に落とす事ができ汚れを防止する事ができた。
【符号の説明】
【０００９】
１、便器本体
２、便座
３、遮壁
【図１】
0003150463.tif 000003
【図２】
0003150463.tif 000004
【図３】
0003150463.tif 000005
【図４】
0003150463.tif 000006
【図５】
0003150463.tif 000007
(57)【要約】      （修正有）【課題】人間の運動神経の麻痺の発生を防止するために、人体の経絡のツボに貼付することによって人体の電気的平衡バランスをとるようにする貼付治療具を提供する。【解決手段】純金等の粉体から成る金属固形材１と石英成分７５％以上含有する鉱石材２とから成る重合粒状物の直径を２ｍｍ以下に、厚さを１ｍｍ以下に構成し、この重合粒状物を構成する金属固形材を外側に鉱石材を内側にして粘着シート３の中心部に固着して成るものである。【選択図】図３
0003150460.tif 000002
【実用新案登録請求の範囲】
【請求項１】
純金等の粉体から成る金属固形材と石英成分７５％以上含有する鉱石材とから成る重合粒状物の直径を２ｍｍ以下に，厚さを１ｍｍ以下に構成し、この重合粒状物を構成する金属固形材を外側に鉱石材を内側にして粘着シートの中心部に固着して成ることを特徴とする貼付治療具。
【考案の詳細な説明】
【技術分野】
【０００１】
本考案は、貼付治療具に関するものである。
【背景技術】
【０００２】
人体の生体は脳から筋肉への指令をすべて電気的な信号によって機能するようになっていることはすでに解明されており、事故や外科手術によって運動神経が麻痺を起すのはこの電気的信号が断絶されたためである。また、運動神経の麻痺が起らないまでも、その機能が衰えたために生体に起こるものには、しびれや軽いマヒ、ふるえ、痛み、冷えなどがある。
【０００３】
これらの機能の衰えを改善するための方法として、古来より針や灸，指圧，マッサージ，磁気，通電，低周波などの諸療法が用いられてきたが、その効果は必ずしも充分なものとはいえなかった。
【０００４】
また、従来技術として、中空部を設けた金属刺激盤とフェライト磁石板の構成から成る「健康皮膚当て接具」（特許文献１）や、セラミック基板と金属層と貼着用シートの構成から成る「ＲＬエネルギー増幅器」（特許文献２）がある。
【０００５】
しかし、これらの従来技術は皮膚に装着する金属板等を人体の経絡にあるツボに確実に貼付することができなかった。
【先行技術文献】
【特許文献】
【０００６】
【特許文献１】特開平７−４７１３８号公報
【特許文献２】特開平１１−１９１７３号公報
【考案の概要】
【考案が解決しようとする課題】
【０００７】
そこで、本考案は、従来の方法とは全く異なる原理をもって、前記した人間の運動神経の麻痺の発生を防止するために、人体の経絡のツボに確実に貼付することによって人体の電気的平衡バランスをとるようにする貼付治療具を提供することを目的とするものである。
【課題を解決するための手段】
【０００８】
本考案は、純金等の粉体から成る金属固形材と石英成分７５％以上含有する鉱石材とから成る重合粒状物の直径を２ｍｍ以下に，厚さを１ｍｍ以下に構成し、この重合粒状物を構成する金属固形材を外側に鉱石材を内側にして粘着シートの中心部に固着して成るものである。
【考案の効果】
【０００９】
本考案の粘着シートを人体の経絡のツボに貼付すると、シートの中心部にある重合粒状物の鉱石材が発生する遠赤外線の熱作用とマイナスイオンのエネルギーを、伝導性の良い純金等の金属固形材を通して人体のツボに直接伝達することができるようになる。
【００１０】
純金等は最高の良導体であるため、人体の電気的平衡バランスの歪みを補正し、また体液の分子構造を小さくするため、結果として、体液の体内循環作用を改善し、生命エネルギーを向上させることができるようになる。
【図面の簡単な説明】
【００１１】
【図１】全体の拡大正面図
【図２】全体の拡大側面図
【図３】人体のツボに貼付した時のエネルギー等の伝達状態を示した説明図
【考案を実施するための形態】
【００１２】
前記構成から成る粘着シートの中心部に位置する重合粒状物を、人体のツボといわれる経絡の経穴に貼付する。すると、この経穴に重合粒状物の純金等の金属固形材面が肌に直接接触することにより、その背後に一体に成る鉱石材が発生する遠赤外線の熱作用とマイナスイオンのエネルギーを正確に人体に伝達し、また純金等の金属の良導体としての電位が人体の電位のアンバランスを補正し、電気的平衡バランスをつくることにより生体全体の体液の循環機能を活性化するようになる。
【実施例】
【００１３】
１は純金又は金合金の粉体から成る金属固形材で、この金属固形材を構成する純金は金属として物質的に最高に安定しかつ最良の伝導体となる。
【００１４】
２は石英を主成分とする天然鉱物の粉体から成る鉱石材で、この鉱石材は主成分として石英を７５％以上を含有し、その他酸化アルミニウム７％以上、酸化鉄、酸化カリウム、酸化チタン等を含む石英斑岩と呼ばれている珪酸塩鉱物である。
【００１５】
この鉱石材２の上面に前記純金粉等の金属固形材１を重合するが、このような重合粒状物を構成する両材１，２の重合積層は二重に限らず三重以上の多重積層構造にすることができる。
【００１６】
前記両材１，２から成る重合粒状物の直径は２mm以下とするが、この大きさは、人体の経絡のツボに鉱石材の物質エネルギー（遠赤外線、マイナスイオン）や電位を供給し、結果として生体電位のアンバランスを修正する機能をもつ点となる。
【００１７】
また、前記両材１，２から成る重合粒状物の厚さは１mm以下である。
【００１８】
また、前記両材１，２から成る重合粒状物は、素材そのものの色のほか、着色剤によって着色した色彩を施したものでもよく、これによってファッション性を出すものである。
【００１９】
３は粘着シートで、このシートの粘着面の中心部には、外側に前記金属固形材１を，内側に前記鉱石材２を配置した重合粒状物を固着する。
【００２０】
この粘着シート３の直径は１０mm以下とし、その形状は円形、角形、星形、ハート形など任意であり、その色彩は無色透明のほか任意であり、いずれもファッション性を出すものである。
【００２１】
ａは人体の皮膚を示す。
【符号の説明】
【００２２】
１                    金属固形材
２                    鉱石材
３                    粘着シート
【図１】
0003150460.tif 000003
【図２】
0003150460.tif 000004
【図３】
0003150460.tif 000005
(57)【要約】      （修正有）【課題】イカ焼きとごへいもちという本来別々で売られているものをひとつにして、両方の特色を生かした新しい味の焼きイカごへいもちを提供する。【解決手段】ごへいもちを小さめのスルメイカの胴に強くぴったりと差し込んで止めることで、焼き上げた時にイカが収縮してより強く保持され、イカにかじりついた時にも串からごへいもちは抜け落ちず、片手で歩きながらでも食すことができる。【選択図】図１
0003150458.tif 000002
【実用新案登録請求の範囲】
【請求項１】
厚さ１〜５ｍｍ、長さ１５〜２５ｃｍ、幅１〜３ｃｍの木製あるいは竹製あるいはプラスチック製の中から選ばれた串に、味飯あるいは白飯を５０〜１２０ｇを幅３〜５ｃｍ、長さ５〜１０ｃｍ、厚さ１〜２ｃｍの細長く扁平状に通し、強く貼り付け保持させ、これを生のツボ抜きイカの胴に通して焼き上げることで得られる、焼イカごへいもち。
【請求項２】
請求項１記載の焼イカごへいもちの串の先端部あるいは生イカの胴に食肉製品、魚肉練製品、あるいはギョーザ、シュウマイ、焼きソバ等の加工食品を詰めた焼イカごへいもち。
【考案の詳細な説明】
【技術分野】
【０００１】
本考案は食品、特にファーストフードの技術分野に関するものである。
【背景技術】
【０００２】
ごへいもちは飛騨、東濃地方を中心に中部地区で特に名物となっている伝統的食品であり、特に平たい板状の串につけるごへいもちは、飛騨地方で多く作られ、食されてきた。
【０００３】
スルメイカに串を打って焼くイカの姿焼きは、祭りや縁日の屋台・露店で売られ、歩きながら見物をしつつ食べる楽しさを演出した食物である。
【特許文献１】実用新案出願平５−７０５３０
【考案の開示】
【考案が解決しようとする課題】
【０００４】
食生活が豊かで多様になってきた昨今では、簡素な味のごへいもちでは人々は満足しなくなってきている。
【０００５】
祭りや縁日の屋台・露店では、たこ焼き、お好み焼き、焼きソバ等、軽食的なものあるいは一食分のかわりになるものが特に支持され、イカ焼きのように酒のつまみ、おやつ等のものはあまり売れなくなってきているように見受けられる。
【０００６】
スルメイカの胴に米を詰めて煮あげてイカメシとして、それに串を打って、串を持って食べると食べやすいといった食品もあるが、この食品の場合イカが火を通すことで硬くなり、かじりついた時に串からイカメシごと抜けてしまい、実際には串を持って食べるということができないという欠点がある。
【課題を解決するための手段】
【０００７】
本考案は、イカ焼きとごへいもちという本来別々で売られているものをひとつにして、両方の特色を生かした新しい味の食品を提供することで課題を解決する。
【０００８】
ごへいもちを小さめのスルメイカの胴に強くピッタリと差し込んで止めることで、焼き上げた時にイカが収縮してより強く保持されることで、イカにかじりついた時にも串からごへいもちは抜け落ちず、歩きながら片手でも食べ歩きができる。
【０００９】
イカの胴部分の先端部に、ギョーザ、シュウマイ、焼きソバ等の加工食品を詰め、さらに下からごへいもちを詰めて、イカ焼き、ごへいもちの他にギョウザ、シュウマイ、焼きソバ等の味を加えることで、今までに例のない独特の食品を得ることで課題を解決する。
【考案の効果】
【００１０】
板状串に練りつけられたごへいもちとイカ焼きを合体させることで、祭りや縁日あるいはイベント会場等で、歩きながら片手でも食べられるファーストフードを得ることができる。
【００１１】
イカ焼きとごへいもちと加工食品の３つを組み合わせることで、３つの味を持った新しい食品を得ることができる。
【考案を実施するための最良の形態】
【００１２】
１杯７５〜８０ｇのツボ抜きスルメイカの胴に、長さ２０ｃｍ、幅１５ｃｍ、厚さ３ｍｍの板状串に、６０ｇの練り上げた白飯を小判状に貼り付けたごへいもちを通し、しっかりと保持し、焼き上げる時に幅５〜１０ｍｍの切れ目を両面に入れ、しょうゆタレをつけて鉄板で焼き上げる。
【実施例】
【００１３】
ごへいもちを小さめのスルメイカの胴に強くぴったりと差し込んで止め、焼き上げるときに５〜１０ｍｍの切れ目を両面に入れて、かじりついた時に切れ目ごとにはがれて一度に全部抜けないようにして、しょうゆあるいは味噌のタレをつけて鉄板、あるいは網で焼き上げることで、ごへいもちと焼きイカの両方の味が味わえる、歩きながらも食すことが可能なファーストフードとしての焼きイカごへいもち。
【図面の簡単な説明】
【００１４】
【図１】本考案の実施形態を示す全体図１
【図２】ごへいもちと板串
【図３】側面図
【図４】イカの胴に焼きソバ・ギョーザの具を詰めた図
【符号の説明】
【００１５】
１    Ａ  板串
２    Ｂ  ごへいもち
３    Ｃ  ツボ抜きイカ
４    Ｄ  イカの胴に焼きソバ等の具が入った状態
【図１】
0003150458.tif 000003
【図２】
0003150458.tif 000004
【図３】
0003150458.tif 000005
【図４】
0003150458.tif 000006
(57)【要約】      （修正有）【課題】耳垢取りを終えた場合において、耳穴内に残りたる微細な耳垢を清掃するために迅速に綿棒が使用でき、又耳垢清掃用具の収納及び携帯に便利な収納ケース付き耳垢清掃用具を提供する。【解決手段】一端を耳垢取りに成し、他端を綿棒に成し一体化することにより使用を便利にする。更に耳垢清掃具部と収納ケース部を連結方式にすることにより、使用、収納、携帯を便利にする。【選択図】図１
0003150455.tif 000002
【実用新案登録請求の範囲】
【請求項１】
中央に位置したるケース接合部の左右の夫々に耳垢取り部及び綿棒部を設け一体化して成ることを特長とした収納ケース付き耳垢清掃用具。
【請求項２】
請求項１記載の収納ケース付き耳垢清掃用具において、ケース接合部の左右の夫々にキャップ部及びケース本体を接離せしめることを特長とした収納ケース付き耳垢清掃用具。
【考案の詳細な説明】
【考案の分野】
【０００１】  本考案は耳垢取り用具及び耳穴等の清掃に使用する綿棒と、そのものを収納するケースに関するものである。
【背景技術】
【０００２】  耳垢取り用具は古い時代より使用された実用品であり、その形状は古い昔も今後も変更はされない、改良の必要が無いからである、綿棒も近年は大量製品化されたものが市場に出て居るが、手作り品は古い昔より存在したものである。
時代の進歩にて手作り方式が量産化方式に変化したが、品物自体において、進歩した形態のものは全く見当たらない。【０００３】
【特許文献】特開２００７−１８５２８  特開２００６−１７５１９５  特開２００５−１５１０２３  特開２００５−０００２１５  特開平成１１−３１３７７７
【考案の開示】
【考案が解決しようとする課題】
【０００４】  耳垢取りにて耳垢を取った場合に、耳穴の中に残留したる微細な耳垢を完全に取り除くため綿棒を使用するが、耳垢掃除の場合において綿棒か直ぐ使用可能の体制である事が必要である。
耳垢取りと綿棒を、収納する場合、又は携帯する場合において、収納が迅速にでき、取り出しも迅速にでき且つ携帯に便利なものが要求される。
【課題を解決するための手段】
【０００５】  本考案は上記問題点を解決するためになされたものであって、耳垢取りと、綿棒の形状は従来のものと同一であるが、その二つの用具の各々の取り手部を連結して一本に成し、耳垢取りと、綿棒を一体化する事により、使い便利にする。
又、このものを収納するケースを作り携帯時はケースとして用い、耳垢取り、綿棒として使用する時は取っ手として流用し得るように成す、ケースのキャップ部にはフックを設け落下による紛失を防止する。
【考案の効果】
【０００６】  本考案は以下に記載する効果を奏する、耳垢取り用具と綿棒が一体化されているため、使用に際して極めて便利である、又収納ケースと一体化されているため、清潔に保存ができ、携帯にも便利である。。
【考案を実施するための最良の形態】
【０００７】  一本の棒状体のものの一端に耳垢取りを設け他端に綿棒を設け、このものを万年筆型に成したる、収納ケース内に収める、収納ケースは、キャップ部とケース本体の二つに分割方式に成し、ケース本体は使用時において取っ手として用いる。。
【実施例】
【０００８】  本考案は従来より一般化されている耳垢とりと、綿棒を連結して一体化し、使用便利にしたものであり、更に万年筆型の収納ケースに結合することにより、収納、使用、携帯に便利になされている、以下本考案を図面に基づき詳細に説明する、［図１］は本考案の収納ケース付き耳垢清掃用具の耳垢清掃用具部の側面図であって、１は耳垢取り部である、２は綿棒部である、この綿棒部２と耳垢取り部１は従来より広く一般化されたものと同一であるが、この二つの用具の各々の一端はケース接合部３に連結されるが、実際の製造においては、この各部を一体にて化学樹脂成型により作製される。【０００９】  ［図２］は本考案の収納ケース付き耳垢清掃用具の収納ケースの側面図であって、ケース接合部３の左右にケース本体４とキャップ部５が接合された状態を示したものである、この接合方法としては、差し込み式、ネジ式の両方式があるが、どちらを用いても可能なることは勿論である。
キャップ部５にはフック６を設けることにより、衣服を挟み紛失を防止する、従来の万年筆のキャップと同じ方式である。【００１０】  ［図３］は本考案の収納ケース付き耳垢清掃用具の耳垢取り部１を使用する場合の側面図であって、キャップ部５を外した状態図である、この場合はケース本体４は外さず残して、このケース本体４を指先にて摘み使用する、ケース本体４とケース接合部３との接合離脱は簡単迅速にでき、ケース接合部３の左右径は同じに作られて居る。【００１１】  ［図４］は本考案の収納ケース付き耳垢清掃用具の綿棒部２を使用する場合の側面図であって、ケース本体４を耳垢取り部１の側に取り付けたものである。
本考案は耳垢取り部１と綿棒部２が一体化されているため、使用に際して至極便利であり、収納及び携帯にも便利である。
本考案は、このような実施例に何等限定されるものでなく、考案の要旨を逸脱しない範囲において種々なる態様にて実施し得ることは勿論である。
【産業上利用の可能性】
【００１２】  本考案は耳垢取りと綿棒が一体化されているため、使用に際して便利であるため、実用性は高い、又収納、携帯にも重宝なるため、一般社会にて活用される可能性は高いものと期待されている。
【図面の簡単な説明】
【００１３】
【図１】は本考案の収納ケース付き耳垢清掃用具の耳垢清掃用具部の側面図である。
【図２】は本考案の収納ケース付き耳垢清掃用具の収納ケースの側面図である。
【図３】は本考案の収納ケース付き耳垢清掃用具の耳垢取りの場合の側面図である。
【図４】は本考案の収納ケース付き耳垢清掃用具の綿棒を使用する場合の側面図である
【符号の説明】
【００１４】  １  耳垢取り部
２  綿棒部
３  ケース接合部
４  ケース本体
５  キャップ部
６  フック
【図１】
0003150455.tif 000003
【図２】
0003150455.tif 000004
【図３】
0003150455.tif 000005
【図４】
0003150455.tif 000006
(57)【要約】【課題】  本考案の目的は、安価で簡便かつ安全に、水溶液内の核酸の有無を判別するための核酸増幅解析補助装置を提供することにある。【解決手段】  本考案は、核酸水溶液を支持する透明容器に密着する金属製の支持体１の周囲に、帯状ヒーター２を装着して加温し、断熱材３で覆い、温度センサー４を介して温度コントローラー５により温度調節することにより、透明容器内の核酸水溶液を適温に保持することを特徴とする、核酸の存在の有無を判別するための増幅解析補助装置を提供する。生物のＤＮＡの特定部分を増幅し、その増幅の有無により遺伝子型を判定する場合、増幅したＤＮＡと結合して蛍光発光する物質を添加したうえで、光透過性の支持体の中で反応を行わせ、支持体のままトランスイルミネータ６に乗せて発光の状態を観察することにより、遺伝子型の判定が可能となり、安価で簡便かつ安全な核酸増幅解析が達成される。【選択図】図１
0003150453.tif 000002
【実用新案登録請求の範囲】
【請求項１】
核酸水溶液を支持する透明容器に密着する支持体を加温し、支持体を介して透明容器内の核酸水溶液を加温することを特徴とする、核酸の存在の有無を判別するための核酸増幅解析補助装置
【請求項２】
核酸水溶液を支持する透明容器に密着する支持体が金属製である、請求項１に記載の核酸増幅解析補助装置
【請求項３】
核酸水溶液を支持する透明容器に密着する支持体の加温方法が帯状のヒーターである、請求項１に記載の核酸増幅解析補助装置
【考案の詳細な説明】
【技術分野】
【０００１】  本考案は、核酸水溶液を支持する透明容器に密着する支持体を加温することにより、支持体を介して透明容器内の核酸水溶液を加温することを特徴とする、核酸の存在の有無を判別するための核酸増幅解析補助装置に関するものである。
【背景技術】
【０００２】  核酸ポリメラーゼを利用して、生物のＤＮＡ（デオキシリボ核酸）の特定の部分を増幅し、増幅されるＤＮＡ断片を指標としてＤＮＡの特定部分の配列（遺伝子型）を判定する方法は当業者によく知られている。通常この方法ではアガロースなどを用いた電気泳動により増幅断片の存在および断片長の確認作業が不可欠であり、手間、時間、コストが必要であった。
【考案の開示】
【考案が解決しようとする課題】
【０００３】  電気泳動法は高価なアガロースゲルが必要で経済的負担が大きく、発がん性のある臭化エチジウム等の化学物質を含む染色剤を扱うため危険が伴う。さらに、時間と手間およびスペースも要する。電気泳動法など、溶液に触れる必要のある作業段階なしに、溶液中の核酸の有無を判別する装置が望まれる。
本考案の目的は、安価で簡便かつ安全に、水溶液内の核酸の有無を判別するための核酸増幅解析補助装置を提供することにある。
【課題を解決するための手段】
【０００４】  本考案は、核酸水溶液を支持する透明容器に密着する金属製の支持体の周囲に帯状ヒーターを装着し、金属製の支持体を介して透明容器内の核酸水溶液を加温することを特徴とする、核酸の存在の有無を判別するための増幅解析補助装置を提供することにより、上記課題を解決する。
上記の構成によれば、核酸ポリメラーゼを利用して、生物のＤＮＡの特定部分を増幅し、その増幅の有無により遺伝子型を判定する場合、増幅したＤＮＡと結合して蛍光発光する物質を添加したうえで、光透過性の支持体の中で反応を行わせ、支持体のままトランスイルミネータに乗せて発光の状態を写真撮影することにより、遺伝子型の判定が可能となり、安価で簡便かつ安全な核酸増幅解析が達成される。さらに、支持体を６０℃から７５℃程度に加温することにより、プライマーダイマー等の非特異的増幅産物による蛍光ノイズを減らすことができ、より明確な判定が可能となる。
【考案の効果】
【０００５】  上述のように、本考案の装置は、ＰＣＲ反応後に通常必要であったゲル電気泳動を行うことなく、安価で簡便かつ安全に、核酸増幅の有無を明確に判定することができる。
【図面の簡単な説明】
【０００６】
【図１】本考案の核酸の存在の有無を判別するための補助装置の一実施例を示す全体図である
【図２】本考案の補助装置の一部切欠断面図である。
【考案を実施するための形態】
【０００７】  核酸水溶液を支持する透明の容器（９６ウェルまたは３８４ウェルのＰＣＲ用ポリプロピレン製プレートなど）に密着し、各ウェルに対応する穴の底の部分に光を通すための小さな穴を開けた、アルミニウム等の金属製の支持体の外周に、リボン状のヒーターを巻きつける。ヒーターと金属支持体の間に温度センサーを挟み、温度コントローラーにより金属支持体の温度を６５℃〜７５℃に保つ。ヒーターの外側に断熱材を施し、火傷を防止する。保温した金属支持体に核酸水溶液を有する透明の容器をはめ込み、そのままトランスイルミネータに載せて発光の状態を撮影することにより、増幅の起こった穴は発光し、増幅のない穴は発光しないことを目視で区別できる。
【実施例】
【０００８】    以下、添付図面に従って一実施例を説明する。１はアルミニウム等熱伝導度に優れた適宜素材にて成型された９６個（８×１２）の穴を有する支持体である。２は１を適温に加熱するためのリボンヒーターで、２ａはリボンヒーターに通電するための電気コードである。３は加熱された１の保温および取り扱い者の手指の火傷を防止するための断熱材である。４は１の温度を測定するための温度センサーで、５は測定された温度に基づき温度調節を行うための温度コントローラーである。【０００９】  ６はトランスイルミネータである。即ち、温度コントローラ５を６５℃から７５℃の間に設定し、電源を入れ、金属支持体１が十分に温まってからＰＣＲ反応後のプレート（図面外）をはめ込み、トランスイルミネータ６に載せて観察することにより、核酸増幅の有無を発光の有無に変換して肉眼で判定することができる。【００１０】    なお、支持体１の穴の数は９６個でなくてもよく、また材質は金属に限らず、樹脂等別の材質でもよい。また液状の物質を、支持体の形に成型したシートに密封して支持体を作成してもよい。リボンヒーター２は、支持体１を適温に加熱できるヒーターであればいかなる形状のヒーターでも同等に使用できる。また、ヒーターを使わず、支持体１を湯浴あるいは保温装置に入れるなどして加温しておき、核酸水溶液を支持する透明の容器を取り付け、温度が下がらないうちに素早く観察する方法も可能である。
【符号の説明】
【００１１】１      支持体
２      リボンヒーター
３      断熱材
４      温度センサー
５      温度コントローラー
６      トランスイルミネータ
【図１】
0003150453.tif 000003
【図２】
0003150453.tif 000004
(57)【要約】【課題】  夜間時、走行中、停車中、対向車及び後方車の前照灯で夜光反射シール並びに夜光性の反射塗料が反射し、歩行者等からも確認ができ、自車の車幅及び現在位置を周知させることができ、なおかつ交通事故防止にも役立つホイールキャップを提供する。【解決手段】  自動車用ホイールキャップ１の側面中央部に凸状２を設け、その外周に夜光反射シール３を設け、凸状２の上部に夜光性の反射塗料４を設けたことを特徴とする。【選択図】図１
0003150452.tif 000002
【実用新案登録請求の範囲】
【請求項１】
自動車用ホイールキャップの側面中央部に凸状を設け、その外周に夜光反射シールを設け、上部に夜光性の反射塗料を設けたことを特徴とする、車幅を周知させるホイールキャップ。
【考案の詳細な説明】
【技術分野】
【０００１】  本考案は、自動車用ホイールキャップが反射するように設けた、車幅を周知させるホイールキャップに関するものである。
【背景技術】
【０００２】  従来のホイールキャップには樹脂組成物を施したものがある（特許文献１参照）。
以下、従来の自動車ホイールキャップ用樹脂組成物は（Ａ）ポリアミド２５〜８０重量％、（Ｂ）ポリスチレン１０〜５０重量％、（Ｃ）ポリフェニレンエーテル５〜４０重量％及び（Ｄ）ゴム状重合体０〜３０重量％を含有し、（Ｂ）成分と（Ｃ）成分の重量比が８０／２０〜３０／７０の範囲で、且つ（Ｂ）成分と（Ｃ）成分の合計量が２０〜７０重量％であり、（Ａ）成分が連続相を、（Ｂ）成分、（Ｃ）成分および（Ｄ）成分が分散相を形成してなり、分散相の平均粒子径が５μｍ以下である。
【先行技術文献】
【特許文献】
【０００３】
【特許文献１】特開平７−１３３４２６号公報
【考案の概要】
【考案が解決しようとする課題】
【０００４】  夜間時、対向車、後方車並びに歩行者等に、自車の車幅及び現在位置を周知できなかった欠点を解決しようとするものである。
【課題を解決するための手段】
【０００５】  自動車用ホイールキャップの側面中央部に凸状を設け、その外周に夜光反射シールを設け、上部に夜光性の反射塗料を設けた。
以上のような構成よりなる車幅を周知させるホイールキャップである。
【考案の効果】
【０００６】  夜間時、対向車及び後方車の前照灯で夜光反射シール及び夜光性の反射塗料が反射し、自車の車幅及び現在位置を周知させることができるのである。
【図面の簡単な説明】
【０００７】
【図１】本考案の斜視図である。
【図２】本考案の実施例を示す正面図である。
【考案を実施するための形態】
【０００８】  自動車用ホイールキャップの側面中央部に凸状を設け、その外周に夜光反射シールを設け、凸状の上部に夜光性の反射塗料を設けたことにより、タイヤホイールに車幅を周知させるホイールキャップを装着できるようにし、走行中、停車中、対向車及び後方車の前照灯で夜光反射シール及び夜光性の反射塗料が反射し、歩行者等からも確認ができ、自車の車幅及び現在位置を周知させることができるようにした。
【実施例】
【０００９】  以下、本考案の実施例について説明する。
（イ）自動車用ホイールキャップ１の側面中央部に凸状２を設けた。
（ロ）凸状２の外周に夜光反射シール３を設けた。
（ハ）凸状２の上部に夜光性の反射塗料４を設けた。
本案は以上のような構造で、これを使用するときは、車幅を周知させるホイールキャップを自動車用タイヤホイールに装着する。【００１０】  夜間時、停車時（左折方向指示器点滅時、右折方向指示器点滅時等）走行中、対向車及び後方車の前照灯で夜光反射シール３、夜光性の反射塗料４が反射し、歩行者等からも確認ができ、自車の現在位置及び車幅を周知させることができる。【００１１】  （イ）両前輪、車幅を周知させるホイールキャップの夜光反射シール３、夜光性の反射塗料４をオレンジ色系にすることでフォッグランプの役目もできるのである。
（ロ）両後輪、車幅を周知させるホイールキャップの夜光反射シール３、夜光性の反射塗料４を赤色系にすることでテールランプの役目もできるのである。
【符号の説明】
【００１２】  １  ホイールキャップ
２  凸状
３  夜光反射シール
４  反射塗料
【図１】
0003150452.tif 000003
【図２】
0003150452.tif 000004